(57)【要約】【課題】  雷等の過電圧による電気機器の保護機能を維持しつつ、接地が必要な電気機器が増設されても接地の施工が容易な接地システムを提供する。【解決手段】  電気機器６のアース線９を接続するためのアース端子３ａを備えた接地ボックス３を建物内の壁面或いは床の適宜位置に複数設置すると共に、アース端子３ａを鉄筋コンクリート基礎１ａの鉄筋２に接続し、建物内に配置された電気機器６のアース線９を接地ボックス３のアース端子３ａに接続してアースした。【選択図】  図１
2010049991.tif 000002
【特許請求の範囲】
【請求項１】
電気機器のアース線を接続するためのアース端子を備えた接地用箱体を建物内の壁面或いは床の適宜位置に複数設置すると共に、個々の前記アース端子を鉄筋コンクリートから成る建物基礎を構成する鉄筋に接続し、建物内に配置された電気機器のアース線を前記アース端子に接続することで電気機器の接地を可能とすることを特徴とする接地システム。
【請求項２】
前記接地用箱体は、壁面に取り付けられたコンセントボックスであり、前記アース端子に加えて電源コンセントを備えて成る請求項１記載の接地システム。
【請求項３】
複数設置された接地用箱体のアース端子は、鉄筋を介して互いに電気的に接続されると共に、鉄筋を介して屋外に施工されている主接地線に接続されて成る請求項１又は２記載の接地システム。
【発明の詳細な説明】
【技術分野】
【０００１】
本発明は、鉄筋コンクリート基礎を有する建物の接地システムに関する。
【背景技術】
【０００２】
雷サージ電圧等の過電圧から電気機器を保護するためや、人体を漏電・感電から保護するために、アース配線を必要とする電気機器があり、建物内の特定箇所にはこのようなアース端子を接続する接地線が配設されている。しかしながら、近年の通信機器等の電子機器は、サージ電圧や静電気に弱いため、更に効率良く且つ良質に電気機器を接地できる構成が望まれている。
このような背景から鉄筋構造の基礎を備えた建物では、建物に使用されている鉄筋を利用する接地形態が検討され、例えば特許文献１では電力線や電話線等の避雷回路を共通の筐体に組み込んだ避雷器に接続し、この避雷器の接地線をコンクリート基礎の鉄筋に接続する構成が開示されている。
【０００３】
鉄筋コンクリート基礎の場合、張り巡らされている鉄筋による広い接地極により、地面との間で大きな静電結合が発生し、地面との間の抵抗値を小さくできる。そのため、これを利用して鉄筋コンクリート基礎を接地極として扱うことが可能となり、特許文献１ではアース端子を鉄筋に接続するだけで、アース端子を接地状態とし、こうすることで別途接地棒を打設する接地工事を行うことなく雷電圧による影響を小さくできた。
また、このように建物基礎を接地極とすることで、建物内の電位傾度を小さくできるため、電気機器の保護や人体の漏電や感電からの保護する機能を向上させることが可能となった。
【０００４】
【特許文献１】特開２００６−２８８１２６号公報
【発明の開示】
【発明が解決しようとする課題】
【０００５】
しかし、上記特許文献１の技術は雷電圧による影響を小さくできたが、接地を必要とする電気機器の設置場所を住宅施工時に決定する必要があり、住宅施工後に接地が必要な電気機器の設置場所を変更したり、電気機器を増設する場合は、制約を受けたり別途接地工事を必要とする場合があった。
【０００６】
そこで、本発明はこのような問題点に鑑み、雷等の過電圧による電気機器の保護機能を維持しつつ、接地が必要な電気機器が増設されても接地の施工が容易な接地システムを提供することを目的とする。
【課題を解決するための手段】
【０００７】
上記課題を解決する為に、請求項１の発明は、電気機器のアース線を接続するためのアース端子を備えた接地用箱体を建物内の壁面或いは床の適宜位置に複数設置すると共に、個々の前記アース端子を鉄筋コンクリートから成る建物基礎を構成する鉄筋に接続し、建物内に配置された電気機器のアース線を前記アース端子に接続することで電気機器の接地を可能とすることを特徴とする。
この構成によれば、建物内の電気機器や避雷器等からの接地線を近傍の接地用箱体のアース端子に接続することで、接地棒を用いることなく接地状態とすることができる。そして、接地用箱体は複数箇所に配置されているため、電気機器の移動や追加に対して容易に対応でき、新たな接地工事を必要としない。更に、建物基礎全体をアースする構造となるため等電位ボンディング接地状態にでき、雷サージ等の異常電圧が進入しても電気機器が損傷したり感電することを無くすことが可能となる。
【０００８】
請求項２の発明は、請求項１に記載の発明において、前記接地用箱体は、壁面に取り付けられたコンセントボックスであり、前記アース端子に加えて電源コンセントを備えて成ることを特徴とする。
この構成によれば、接地用箱体として専用のボックスを必要としないため安価に構成できるし、電源コンセントが設けられているので、電気機器のアース線と電源コードを分離する必要が無く、利便性が良い。
【０００９】
請求項３の発明は、請求項１又は２に記載の発明において、複数設置された接地用箱体のアース端子は、鉄筋を介して互いに電気的に接続されると共に、鉄筋を介して屋外に施工されている主接地線に接続されて成ることを特徴とする。
この構成によれば、建物基礎の鉄筋が更にアースされているので、良好な接地状態とすることができる。また、１箇所の主接地で任意の場所の電気機器に対応でき、接地棒を打設しても接地コストを低減できる。
【発明の効果】
【００１０】
本発明によれば、建物内の電気機器や避雷器等からの接地線を接地用箱体のアース端子に接続することで、接地棒を用いることなく接地状態とすることができる。そして、接地用箱体は複数箇所に配置されているため、電気機器の移動や増設に対して容易に対応でき、新たな接地工事を必要としない。更に、建物基礎全体をアースする構造となるため等電位ボンディング接地状態にでき、雷サージ等の異常電圧が進入しても電気機器が損傷したり感電することを無くすことが可能となる。
【発明を実施するための最良の形態】
【００１１】
以下、本発明を具体化した実施の形態を、図面に基づいて詳細に説明する。図１は本発明に係る接地システムの一例を示し、鉄筋コンクリート基礎を有する戸建て住宅の接地構造説明図である。この図１において、１は鉄筋コンクリート基礎１ａを備えた鉄筋コンクリート構造部、２はその構造部内の鉄筋、３は電気機器を接地するための接地ボックス（接地用箱体）、４は分電盤、５は商用電力を引き込む引き込み線、６は電気機器、７は主接地を施した主接地線８を建物内に導入するための主接地用ボックスである。
【００１２】
接地ボックス３は、内部にアース端子３ａを備え、周知のコンセントボックスと同じように、鉄筋コンクリート基礎１ａを有する建物の床面や壁面に埋設して前面のみ露出するように組み付けられ、適宜位置に設置されている。アース端子３ａは、鉄筋敷設時にアース用電線１０により鉄筋２に壁面内や床面内で接続され、前方から導入された電気機器６のアース線９を接続可能となっている。
【００１３】
また、敷設された個々の鉄筋２は互いに電気的に導通状態にあり、設置された全ての接地ボックス３のアース端子３ａは、鉄筋２を介して互いに連結され、屋外に施工された主接地用ボックス７に接続されている。この主接地用ボックス７のアース端子７ａは、図示しない接地棒を打設してＤ種接地された主接地線８に接続されている。
そして、この鉄筋２に電気的に接続された接地ボックス３に、個々の電気機器６のアース線９や、分電盤４内の図示しない避雷器のアース線９が接続されている。尚、１２は電気機器６に電力を供給する電源線である。
【００１４】
こうして鉄筋２を利用して接地ボックス３を設けることで、雷サージ等の異常電圧が発生した場合、次のように電気機器６の保護が成される。接地ボックス３が接続された鉄筋２は、建物の基礎全体に配設されているため、地面との間で静電結合し、接地棒を打設した状態のように低抵抗状態となる。そのため、雷等のサージ電圧（サージ電流）を効果的に大地に流すことができ、引き込み線５等から進入する異常電圧を吸収し、電気機器６へ印加される異常電圧が削減される。
【００１５】
このように、建物内の電気機器や避雷器等の接地線を接地ボックスのアース端子に接続するだけで、接地状態とすることができる。そして、接地ボックスは複数箇所に配置されているため、電気機器の移動や追加に対して近傍の接地ボックスを使用して容易に接地でき、新たな接地工事を必要としない。更に、建物基礎全体をアースする構造となるため等電位ボンディング接地状態にでき、雷サージ等の異常電圧が進入しても電気機器が損傷したり感電することを無くすことが可能となる。
また、主接地線を鉄筋に接続することで、建物基礎の鉄筋が更にアースされてるので、良好な接地状態とすることができるし、任意の場所に１箇所の主接地を施し、近傍の基鉄筋に接続するだけで任意の場所に配置された電気機器に対応でき、接地棒を打設しても接地コストを低減できる。
【００１６】
尚、接地棒を打設して主接地を実施しているが、接地抵抗値を確実に下げるために行っているもので、鉄筋コンクリート基礎１ａと大地の間の抵抗が所定値以下の場合は無くても良い。
【００１７】
図２は、本発明の接地システムを集合住宅に適用した例を示している。上記図１と同様の構成要素には同一の符号を付与してある。このように、鉄筋構造物であれば集合住宅といった大規模な建物に対しても適用することができ、建物内の電気機器や避雷器等の接地線を接地ボックスのアース端子に接続するだけで、良好な接地状態とすることができる。
【００１８】
尚、上記実施形態は、何れも専用の接地ボックス３を使用して電気機器６のアース接続を実施しているが、周知のコンセントボックスを使用して内部にアース端子を設け、このアース端子を鉄筋２に接続しても良い。この場合、電源コンセントをコンセントボックス内に設ければ、電気機器のアース線と電源コードを分離する必要が無く、利便性が良い。
【図面の簡単な説明】
【００１９】
【図１】本発明に係る接地システムの実施形態の一例を示し戸建て住宅の接地構造説明図である。
【図２】接地システムの他の例を示し、集合住宅の接地構造説明図である。
【符号の説明】
【００２０】
１・・鉄筋コンクリート構造部、１ａ・・鉄筋コンクリート基礎、２・・鉄筋、３・・接地ボックス（接地用箱体）、６・・電気機器、８・・主接地線、９・・アース線。
【図１】
2010049991.tif 000003
【図２】
2010049991.tif 000004